(57)【要約】【課題】ノイズに基づく記録データの品質低下を防止する構成を提供する。【解決手段】ハードディスクのようにスピンドルやヘッド制御、サーボ制御などを行なう必要のある記録媒体に対してデータ記録を行う装置において、実行処理が記録であるか再生であるかを判別し、再生である場合には待機モードから動作モードへ一段階でのモード変更を実行し、記録処理である場合には、待機モードから中間モードへ移行した後、中間モードから動作モードへ移行する。あるいは、記録データの音声レベルが予め定めた閾値より大である場合に、待機モードから動作モードへ一段階でのモード変更を実行し、音声レベルが予め定めた閾値より大でない場合に、待機モードから中間モードへ移行した後、中間モードから動作モードへ移行する複数段階のモード変更処理を実行する。【選択図】図２
2009124529.tif 000002
【特許請求の範囲】
【請求項１】
ディスク型の記録媒体を適用したデータ記録または再生を行う情報処理装置であり、
前記記録媒体を適用したデータ記録またはデータ再生処理を行う場合に、省電力モード対応の待機モードからモード変更を実行してデータ記録または再生処理を実行する動作モードに移行させるモード変更制御を行う制御部を有し、
前記制御部は、
実行予定の処理がデータ記録処理であるかデータ再生処理であるかを判別し、
データ再生処理である場合には、前記待機モードから前記動作モードへ一段階でのモード変更を実行し、
データ記録処理である場合には、前記待機モードから中間モードへ移行した後、該中間モードから前記動作モードへ移行する複数段階のモード変更処理を実行することを特徴とする情報処理装置。
【請求項２】
前記待機モードから前記中間モードへのモード変更処理は、スピンドル停止状態から駆動状態への移行処理、またはヘッドのロード処理、またはサーボオフ状態からオン状態への移行処理、これらの処理の少なくともいずれかの処理を伴うモード変更処理であり、
前記中間モードから前記動作モードへの変更処理は、スピンドル停止状態から駆動状態への移行処理、およびヘッドのロード処理、およびサーボオフ状態からオン状態への移行処理、これらの処理のいずれの処理も伴わないモード変更処理であることを特徴とする請求項１に記載の情報処理装置。
【請求項３】
前記制御部は、さらに、動作モードから待機モードへの復帰に際して、
実行処理がデータ記録処理であるかデータ再生処理であるかを判別し、
データ再生処理である場合には、前記動作モードから前記待機モードへ一段階でのモード変更を実行し、
データ記録処理である場合には、前記動作モードから中間モードへ移行した後、該中間モードから前記待機モードへ移行する複数段階のモード変更処理を実行することを特徴とする請求項１に記載の情報処理装置。
【請求項４】
前記待機モードは、ＡＰＭ（Ａｄｖａｎｃｅｄ  Ｐｏｗｅｒ  Ｍａｎａｇｅｍｅｎｔ）に規格に対応する低電力消費モードであり、前記動作モードは高電力消費モード、前記中間モードは、中間的な電力消費モードであることを特徴とする請求項１〜３いずれかに記載の情報処理装置。
【請求項５】
ディスク型の記録媒体を適用したデータ記録処理を行う情報処理装置であり、
前記記録媒体を適用したデータ記録処理を行う場合に、省電力モード対応の待機モードからモード変更を実行してデータ記録処理を実行する動作モードに移行させるモード変更制御を行う制御部と、
記録データの音声レベルを検出する音声レベル検出部を有し、
前記制御部は、
前記音声レベル検出部の検出した記録データの音声レベルが予め定めた閾値より大であるか否かを判別し、
記録データの音声レベルが予め定めた閾値より大である場合には、前記待機モードから前記動作モードへ一段階でのモード変更を実行し、
記録データの音声レベルが予め定めた閾値より大でない場合には、前記待機モードから中間モードへ移行した後、該中間モードから前記動作モードへ移行する複数段階のモード変更処理を実行することを特徴とする情報処理装置。
【請求項６】
前記制御部は、さらに、動作モードから待機モードへの復帰に際して、
前記音声レベル検出部の検出した記録データの音声レベルが予め定めた閾値より大であるか否かを判別し、
記録データの音声レベルが予め定めた閾値より大である場合には、前記動作モードから前記待機モードへ一段階でのモード変更を実行し、
記録データの音声レベルが予め定めた閾値より大でない場合には、前記動作モードから中間モードへ移行した後、該中間モードから前記待機モードへ移行する複数段階のモード変更処理を実行することを特徴とする請求項５に記載の情報処理装置。
【請求項７】
前記制御部は、
実行予定の処理がデータ記録処理であるかデータ再生処理であるかを判別し、
データ再生処理である場合には、前記待機モードから前記動作モードへ一段階でのモード変更を実行し、
データ記録処理である場合には、さらに、前記音声レベル検出部の検出した記録データの音声レベルが予め定めた閾値より大であるか否かを判別する処理を実行して判別結果に応じたモード変更処理を行うことを特徴とする請求項５に記載の情報処理装置。
【請求項８】
前記制御部は、さらに、動作モードから待機モードへの復帰に際して、
実行処理がデータ記録処理であるかデータ再生処理であるかを判別し、
データ再生処理である場合には、前記動作モードから前記待機モードへ一段階でのモード変更を実行し、
データ記録処理である場合には、前記動作モードから中間モードへ移行した後、該中間モードから前記待機モードへ移行する複数段階のモード変更処理を実行することを特徴とする請求項５に記載の情報処理装置。
【請求項９】
前記待機モードから前記中間モードへのモード変更処理は、スピンドル停止状態から駆動状態への移行処理、またはヘッドのロード処理、またはサーボオフ状態からオン状態への移行処理、これらの処理の少なくともいずれかの処理を伴うモード変更処理であり、
前記中間モードから前記動作モードへの変更処理は、スピンドル停止状態から駆動状態への移行処理、およびヘッドのロード処理、およびサーボオフ状態からオン状態への移行処理、これらの処理のいずれの処理も伴わないモード変更処理であることを特徴とする請求項５または７に記載の情報処理装置。
【請求項１０】
前記待機モードは、ＡＰＭ（Ａｄｖａｎｃｅｄ  Ｐｏｗｅｒ  Ｍａｎａｇｅｍｅｎｔ）に規格に対応する低電力消費モードであり、前記動作モードは高電力消費モード、前記中間モードは、中間的な電力消費モードであることを特徴とする請求項５〜９いずれかに記載の情報処理装置。
【請求項１１】
ディスク型の記録媒体を適用したデータ記録または再生を行う情報処理装置において実行する情報処理方法であり、
制御部が、前記記録媒体を適用したデータ記録またはデータ再生処理を行う場合に、省電力モード対応の待機モードからモード変更を実行してデータ記録または再生処理を実行する動作モードに移行させる処理を行うモード変更制御ステップを有し、
前記モード変更制御ステップは、
実行予定の処理がデータ記録処理であるかデータ再生処理であるかを判別するステップと、
データ再生処理である場合に、前記待機モードから前記動作モードへ一段階でのモード変更を実行する第１のモード変更処理と、
データ記録処理である場合に、前記待機モードから中間モードへ移行した後、該中間モードから前記動作モードへ移行する複数段階のモード変更処理を実行する第２のモード変更処理のいずれかのモード変更処理を選択的に実行するモード変更ステップと、
を有することを特徴とする情報処理方法。
【請求項１２】
前記待機モードから前記中間モードへのモード変更処理は、スピンドル停止状態から駆動状態への移行処理、またはヘッドのロード処理、またはサーボオフ状態からオン状態への移行処理、これらの処理の少なくともいずれかの処理を伴うモード変更処理であり、
前記中間モードから前記動作モードへの変更処理は、スピンドル停止状態から駆動状態への移行処理、およびヘッドのロード処理、およびサーボオフ状態からオン状態への移行処理、これらの処理のいずれの処理も伴わないモード変更処理であることを特徴とする請求項１１に記載の情報処理方法。
【請求項１３】
前記制御部は、さらに、動作モードから待機モードへの復帰に際して、
実行処理がデータ記録処理であるかデータ再生処理であるかを判別し、
データ再生処理である場合には、前記動作モードから前記待機モードへ一段階でのモード変更を実行し、
データ記録処理である場合には、前記動作モードから中間モードへ移行した後、該中間モードから前記待機モードへ移行する複数段階のモード変更処理を実行することを特徴とする請求項１１に記載の情報処理方法。
【請求項１４】
前記待機モードは、ＡＰＭ（Ａｄｖａｎｃｅｄ  Ｐｏｗｅｒ  Ｍａｎａｇｅｍｅｎｔ）に規格に対応する低電力消費モードであり、前記動作モードは高電力消費モード、前記中間モードは、中間的な電力消費モードであることを特徴とする請求項１１〜１３いずれかに記載の情報処理方法。
【請求項１５】
ディスク型の記録媒体を適用したデータ記録処理を行う情報処理装置において実行する情報処理方法であり、
音声レベル検出部が、記録データの音声レベルを検出する音声レベル検出ステップと、
制御部が、前記記録媒体を適用したデータ記録処理を行う場合に、省電力モード対応の待機モードからモード変更を実行してデータ記録処理を実行する動作モードに移行させる処理を行うモード変更制御ステップを有し、
前記モード変更制御ステップは、
前記音声レベル検出部の検出した記録データの音声レベルが予め定めた閾値より大であるか否かを判別するステップと、
記録データの音声レベルが予め定めた閾値より大である場合に、前記待機モードから前記動作モードへ一段階でのモード変更を実行する第１のモード変更処理と、
記録データの音声レベルが予め定めた閾値より大でない場合に、前記待機モードから中間モードへ移行した後、該中間モードから前記動作モードへ移行する複数段階のモード変更処理を実行する第２のモード変更処理のいずれかのモード変更処理を選択的に実行するモード変更ステップと、
を有することを特徴とする情報処理方法。
【請求項１６】
前記制御部は、さらに、動作モードから待機モードへの復帰に際して、
前記音声レベル検出部の検出した記録データの音声レベルが予め定めた閾値より大であるか否かを判別し、
記録データの音声レベルが予め定めた閾値より大である場合には、前記動作モードから前記待機モードへ一段階でのモード変更を実行し、
記録データの音声レベルが予め定めた閾値より大でない場合には、前記動作モードから中間モードへ移行した後、該中間モードから前記待機モードへ移行する複数段階のモード変更処理を実行することを特徴とする請求項１５に記載の情報処理方法。
【請求項１７】
前記制御部は、さらに、
実行予定の処理がデータ記録処理であるかデータ再生処理であるかを判別し、
データ再生処理である場合には、前記待機モードから前記動作モードへ一段階でのモード変更を実行し、
データ記録処理である場合には、さらに、前記音声レベル検出部の検出した記録データの音声レベルが予め定めた閾値より大であるか否かを判別する処理を実行して判別結果に応じたモード変更処理を行うことを特徴とする請求項１５に記載の情報処理方法。
【請求項１８】
前記制御部は、さらに、動作モードから待機モードへの復帰に際して、
実行処理がデータ記録処理であるかデータ再生処理であるかを判別し、
データ再生処理である場合には、前記動作モードから前記待機モードへ一段階でのモード変更を実行し、
データ記録処理である場合には、前記動作モードから中間モードへ移行した後、該中間モードから前記待機モードへ移行する複数段階のモード変更処理を実行することを特徴とする請求項１５に記載の情報処理方法。
【請求項１９】
前記待機モードから前記中間モードへのモード変更処理は、スピンドル停止状態から駆動状態への移行処理、またはヘッドのロード処理、またはサーボオフ状態からオン状態への移行処理、これらの処理の少なくともいずれかの処理を伴うモード変更処理であり、
前記中間モードから前記動作モードへの変更処理は、スピンドル停止状態から駆動状態への移行処理、およびヘッドのロード処理、およびサーボオフ状態からオン状態への移行処理、これらの処理のいずれの処理も伴わないモード変更処理であることを特徴とする請求項１５または１７に記載の情報処理方法。
【請求項２０】
前記待機モードは、ＡＰＭ（Ａｄｖａｎｃｅｄ  Ｐｏｗｅｒ  Ｍａｎａｇｅｍｅｎｔ）に規格に対応する低電力消費モードであり、前記動作モードは高電力消費モード、前記中間モードは、中間的な電力消費モードであることを特徴とする請求項１５〜１９いずれかに記載の情報処理方法。
【請求項２１】
ディスク型の記録媒体を適用したデータ記録または再生を行う情報処理装置においてモード変更制御を実行させるコンピュータ・プログラムであり、
制御部に、前記記録媒体を適用したデータ記録またはデータ再生処理を行う場合に、省電力モード対応の待機モードからモード変更を実行してデータ記録または再生処理を実行する動作モードに移行する処理を行わせるモード変更制御ステップを有し、
前記モード変更制御ステップは、
実行予定の処理がデータ記録処理であるかデータ再生処理であるかを判別させるステップと、
データ再生処理である場合に、前記待機モードから前記動作モードへ一段階でのモード変更を実行する第１のモード変更処理と、
データ記録処理である場合に、前記待機モードから中間モードへ移行した後、該中間モードから前記動作モードへ移行する複数段階のモード変更処理を実行する第２のモード変更処理のいずれかのモード変更処理を選択的に実行させるモード変更ステップと、
を有することを特徴とするコンピュータ・プログラム。
【請求項２２】
ディスク型の記録媒体を適用したデータ記録処理を行う情報処理装置においてモード変更制御を実行させるコンピュータ・プログラムであり、
音声レベル検出部に、記録データの音声レベルを検出させる音声レベル検出ステップと、
制御部に、前記記録媒体を適用したデータ記録処理を行う場合に、省電力モード対応の待機モードからモード変更を実行してデータ記録処理を実行する動作モードに移行する処理を行わせるモード変更制御ステップを有し、
前記モード変更制御ステップは、
前記音声レベル検出部の検出した記録データの音声レベルが予め定めた閾値より大であるか否かを判別させるステップと、
記録データの音声レベルが予め定めた閾値より大である場合に、前記待機モードから前記動作モードへ一段階でのモード変更を実行する第１のモード変更処理と、
記録データの音声レベルが予め定めた閾値より大でない場合に、前記待機モードから中間モードへ移行した後、該中間モードから前記動作モードへ移行する複数段階のモード変更処理を実行する第２のモード変更処理のいずれかのモード変更処理を選択的に実行させるモード変更ステップと、
を有することを特徴とするコンピュータ・プログラム。
【発明の詳細な説明】
【技術分野】
【０００１】
本発明は、情報処理装置、および情報処理方法、並びにコンピュータ・プログラムに関する。さらに詳細には、ハードディスクやＤＶＤなどの記録メディアを有する装置においてノイズを低減させたデータ記録を可能とする情報処理装置、および情報処理方法、並びにコンピュータ・プログラムに関する。
【背景技術】
【０００２】
例えばデジタルビデオカメラやその他の情報処理機器において、様々な記録メディアが利用されている。このような記録メディアを利用した装置において、例えば、ハードディスクやＤＶＤなど、ディスクの回転やヘッドのシークなどのメカニカルな動作を必要とするメディアに対する記録を行う構成では、これらの動作音がノイズとして、本来の記録データに混入してメディアに記録される場合があり、結果として記録データの品質を低下させるという問題が発生する。
【０００３】
すなわち、ハードディスクやＤＶＤなどの記録メディアは、例えば記録ヘッドのロード処理やアンロード処理、ディスクの回転開始、停止などの様々なメカニカルな動きが必要であり、さらにメディアドライブのサーボ制御や、ヘッドやスピンドルなどの動作切り替え制御をデータ記録処理時に実行すると、これらに起因するノイズがメディアに記録され記録データの品質が低下する。
【０００４】
このようなノイズ記録を防止する技術として、例えば特許文献１（特開２００６−３３８８２４号公報）に記載の構成がある。特許文献１では、音声情報をディスク型記録媒体に記録する構成において、記録データとして入力する音声情報に含まれる騒音レベルを検出し、騒音レベルが大きいときは、ノイズが目立たないと判断して記録ディスク回転数を高くした第１モードで記録処理を行い、騒音レベルが小さいときは、ノイズが目立つと判断してノイズを抑えるためにディスク回転数を低くした第２モードで記録処理を行う構成を開示している。
【０００５】
しかし、この手法は、騒音レベルに応じて動的にディスクの回転速度を変更するという特殊な制御が必要となり、制御の複雑化や、制御構成を実現するためのコストアップが発生するという問題がある。
【特許文献１】特開２００６−３３８８２４号公報
【発明の開示】
【発明が解決しようとする課題】
【０００６】
本発明は、記録メディアがハードディスクやＤＶＤなどのようにヘッドのシーク、ディスク回転などのメカニカルな動作を行なうメディアを利用した装置において、ディスク回転数の変更といった複雑な制御を行うことなく簡略化した制御により、メカニカルノイズの記録を低減させて、記録データの品質向上を可能とした情報処理装置、および情報処理方法、並びにコンピュータ・プログラムを提供することを目的とする。
【課題を解決するための手段】
【０００７】
本発明の第１の側面は、
ディスク型の記録媒体を適用したデータ記録または再生を行う情報処理装置であり、
前記記録媒体を適用したデータ記録またはデータ再生処理を行う場合に、省電力モード対応の待機モードからモード変更を実行してデータ記録または再生処理を実行する動作モードに移行させるモード変更制御を行う制御部を有し、
前記制御部は、
実行予定の処理がデータ記録処理であるかデータ再生処理であるかを判別し、
データ再生処理である場合には、前記待機モードから前記動作モードへ一段階でのモード変更を実行し、
データ記録処理である場合には、前記待機モードから中間モードへ移行した後、該中間モードから前記動作モードへ移行する複数段階のモード変更処理を実行することを特徴とする情報処理装置にある。
【０００８】
さらに、本発明の情報処理装置の一実施態様において、前記待機モードから前記中間モードへのモード変更処理は、スピンドル停止状態から駆動状態への移行処理、またはヘッドのロード処理、またはサーボオフ状態からオン状態への移行処理、これらの処理の少なくともいずれかの処理を伴うモード変更処理であり、前記中間モードから前記動作モードへの変更処理は、スピンドル停止状態から駆動状態への移行処理、およびヘッドのロード処理、およびサーボオフ状態からオン状態への移行処理、これらの処理のいずれの処理も伴わないモード変更処理であることを特徴とする。
【０００９】
さらに、本発明の情報処理装置の一実施態様において、前記制御部は、さらに、動作モードから待機モードへの復帰に際して、実行処理がデータ記録処理であるかデータ再生処理であるかを判別し、データ再生処理である場合には、前記動作モードから前記待機モードへ一段階でのモード変更を実行し、データ記録処理である場合には、前記動作モードから中間モードへ移行した後、該中間モードから前記待機モードへ移行する複数段階のモード変更処理を実行することを特徴とする。
【００１０】
さらに、本発明の情報処理装置の一実施態様において、前記待機モードは、ＡＰＭ（Ａｄｖａｎｃｅｄ  Ｐｏｗｅｒ  Ｍａｎａｇｅｍｅｎｔ）に規格に対応する低電力消費モードであり、前記動作モードは高電力消費モード、前記中間モードは、中間的な電力消費モードであることを特徴とする。
【００１１】
さらに、本発明の第２の側面は、
ディスク型の記録媒体を適用したデータ記録処理を行う情報処理装置であり、
前記記録媒体を適用したデータ記録処理を行う場合に、省電力モード対応の待機モードからモード変更を実行してデータ記録処理を実行する動作モードに移行させるモード変更制御を行う制御部と、
記録データの音声レベルを検出する音声レベル検出部を有し、
前記制御部は、
前記音声レベル検出部の検出した記録データの音声レベルが予め定めた閾値より大であるか否かを判別し、
記録データの音声レベルが予め定めた閾値より大である場合には、前記待機モードから前記動作モードへ一段階でのモード変更を実行し、
記録データの音声レベルが予め定めた閾値より大でない場合には、前記待機モードから中間モードへ移行した後、該中間モードから前記動作モードへ移行する複数段階のモード変更処理を実行することを特徴とする情報処理装置にある。
【００１２】
さらに、本発明の情報処理装置の一実施態様において、前記制御部は、さらに、動作モードから待機モードへの復帰に際して、前記音声レベル検出部の検出した記録データの音声レベルが予め定めた閾値より大であるか否かを判別し、記録データの音声レベルが予め定めた閾値より大である場合には、前記動作モードから前記待機モードへ一段階でのモード変更を実行し、記録データの音声レベルが予め定めた閾値より大でない場合には、前記動作モードから中間モードへ移行した後、該中間モードから前記待機モードへ移行する複数段階のモード変更処理を実行することを特徴とする。
【００１３】
さらに、本発明の情報処理装置の一実施態様において、前記制御部は、実行予定の処理がデータ記録処理であるかデータ再生処理であるかを判別し、データ再生処理である場合には、前記待機モードから前記動作モードへ一段階でのモード変更を実行し、データ記録処理である場合には、さらに、前記音声レベル検出部の検出した記録データの音声レベルが予め定めた閾値より大であるか否かを判別する処理を実行して判別結果に応じたモード変更処理を行うことを特徴とする。
【００１４】
さらに、本発明の情報処理装置の一実施態様において、前記制御部は、さらに、動作モードから待機モードへの復帰に際して、実行処理がデータ記録処理であるかデータ再生処理であるかを判別し、データ再生処理である場合には、前記動作モードから前記待機モードへ一段階でのモード変更を実行し、データ記録処理である場合には、前記動作モードから中間モードへ移行した後、該中間モードから前記待機モードへ移行する複数段階のモード変更処理を実行することを特徴とする。
【００１５】
さらに、本発明の情報処理装置の一実施態様において、前記待機モードから前記中間モードへのモード変更処理は、スピンドル停止状態から駆動状態への移行処理、またはヘッドのロード処理、またはサーボオフ状態からオン状態への移行処理、これらの処理の少なくともいずれかの処理を伴うモード変更処理であり、前記中間モードから前記動作モードへの変更処理は、スピンドル停止状態から駆動状態への移行処理、およびヘッドのロード処理、およびサーボオフ状態からオン状態への移行処理、これらの処理のいずれの処理も伴わないモード変更処理であることを特徴とする。
【００１６】
さらに、本発明の情報処理装置の一実施態様において、前記待機モードは、ＡＰＭ（Ａｄｖａｎｃｅｄ  Ｐｏｗｅｒ  Ｍａｎａｇｅｍｅｎｔ）に規格に対応する低電力消費モードであり、前記動作モードは高電力消費モード、前記中間モードは、中間的な電力消費モードであることを特徴とする。
【００１７】
さらに、本発明の第３の側面は、
ディスク型の記録媒体を適用したデータ記録または再生を行う情報処理装置において実行する情報処理方法であり、
制御部が、前記記録媒体を適用したデータ記録またはデータ再生処理を行う場合に、省電力モード対応の待機モードからモード変更を実行してデータ記録または再生処理を実行する動作モードに移行させる処理を行うモード変更制御ステップを有し、
前記モード変更制御ステップは、
実行予定の処理がデータ記録処理であるかデータ再生処理であるかを判別するステップと、
データ再生処理である場合に、前記待機モードから前記動作モードへ一段階でのモード変更を実行する第１のモード変更処理と、
データ記録処理である場合に、前記待機モードから中間モードへ移行した後、該中間モードから前記動作モードへ移行する複数段階のモード変更処理を実行する第２のモード変更処理のいずれかのモード変更処理を選択的に実行するモード変更ステップと、
を有することを特徴とする情報処理方法にある。
【００１８】
さらに、本発明の情報処理方法の一実施態様において、前記待機モードから前記中間モードへのモード変更処理は、スピンドル停止状態から駆動状態への移行処理、またはヘッドのロード処理、またはサーボオフ状態からオン状態への移行処理、これらの処理の少なくともいずれかの処理を伴うモード変更処理であり、前記中間モードから前記動作モードへの変更処理は、スピンドル停止状態から駆動状態への移行処理、およびヘッドのロード処理、およびサーボオフ状態からオン状態への移行処理、これらの処理のいずれの処理も伴わないモード変更処理であることを特徴とする。
【００１９】
さらに、本発明の情報処理方法の一実施態様において、前記制御部は、さらに、動作モードから待機モードへの復帰に際して、実行処理がデータ記録処理であるかデータ再生処理であるかを判別し、データ再生処理である場合には、前記動作モードから前記待機モードへ一段階でのモード変更を実行し、データ記録処理である場合には、前記動作モードから中間モードへ移行した後、該中間モードから前記待機モードへ移行する複数段階のモード変更処理を実行することを特徴とする。
【００２０】
さらに、本発明の情報処理方法の一実施態様において、前記待機モードは、ＡＰＭ（Ａｄｖａｎｃｅｄ  Ｐｏｗｅｒ  Ｍａｎａｇｅｍｅｎｔ）に規格に対応する低電力消費モードであり、前記動作モードは高電力消費モード、前記中間モードは、中間的な電力消費モードであることを特徴とする。
【００２１】
さらに、本発明の第４の側面は、
ディスク型の記録媒体を適用したデータ記録処理を行う情報処理装置において実行する情報処理方法であり、
音声レベル検出部が、記録データの音声レベルを検出する音声レベル検出ステップと、
制御部が、前記記録媒体を適用したデータ記録処理を行う場合に、省電力モード対応の待機モードからモード変更を実行してデータ記録処理を実行する動作モードに移行させる処理を行うモード変更制御ステップを有し、
前記モード変更制御ステップは、
前記音声レベル検出部の検出した記録データの音声レベルが予め定めた閾値より大であるか否かを判別するステップと、
記録データの音声レベルが予め定めた閾値より大である場合に、前記待機モードから前記動作モードへ一段階でのモード変更を実行する第１のモード変更処理と、
記録データの音声レベルが予め定めた閾値より大でない場合に、前記待機モードから中間モードへ移行した後、該中間モードから前記動作モードへ移行する複数段階のモード変更処理を実行する第２のモード変更処理のいずれかのモード変更処理を選択的に実行するモード変更ステップと、
を有することを特徴とする情報処理方法にある。
【００２２】
さらに、本発明の情報処理方法の一実施態様において、前記制御部は、さらに、動作モードから待機モードへの復帰に際して、前記音声レベル検出部の検出した記録データの音声レベルが予め定めた閾値より大であるか否かを判別し、記録データの音声レベルが予め定めた閾値より大である場合には、前記動作モードから前記待機モードへ一段階でのモード変更を実行し、記録データの音声レベルが予め定めた閾値より大でない場合には、前記動作モードから中間モードへ移行した後、該中間モードから前記待機モードへ移行する複数段階のモード変更処理を実行することを特徴とする。
【００２３】
さらに、本発明の情報処理方法の一実施態様において、前記制御部は、さらに、実行予定の処理がデータ記録処理であるかデータ再生処理であるかを判別し、データ再生処理である場合には、前記待機モードから前記動作モードへ一段階でのモード変更を実行し、データ記録処理である場合には、さらに、前記音声レベル検出部の検出した記録データの音声レベルが予め定めた閾値より大であるか否かを判別する処理を実行して判別結果に応じたモード変更処理を行うことを特徴とする。
【００２４】
さらに、本発明の情報処理方法の一実施態様において、前記制御部は、さらに、動作モードから待機モードへの復帰に際して、実行処理がデータ記録処理であるかデータ再生処理であるかを判別し、データ再生処理である場合には、前記動作モードから前記待機モードへ一段階でのモード変更を実行し、データ記録処理である場合には、前記動作モードから中間モードへ移行した後、該中間モードから前記待機モードへ移行する複数段階のモード変更処理を実行することを特徴とする。
【００２５】
さらに、本発明の情報処理方法の一実施態様において、前記待機モードから前記中間モードへのモード変更処理は、スピンドル停止状態から駆動状態への移行処理、またはヘッドのロード処理、またはサーボオフ状態からオン状態への移行処理、これらの処理の少なくともいずれかの処理を伴うモード変更処理であり、前記中間モードから前記動作モードへの変更処理は、スピンドル停止状態から駆動状態への移行処理、およびヘッドのロード処理、およびサーボオフ状態からオン状態への移行処理、これらの処理のいずれの処理も伴わないモード変更処理であることを特徴とする。
【００２６】
さらに、本発明の情報処理方法の一実施態様において、前記待機モードは、ＡＰＭ（Ａｄｖａｎｃｅｄ  Ｐｏｗｅｒ  Ｍａｎａｇｅｍｅｎｔ）に規格に対応する低電力消費モードであり、前記動作モードは高電力消費モード、前記中間モードは、中間的な電力消費モードであることを特徴とする。
【００２７】
さらに、本発明の第５の側面は、
ディスク型の記録媒体を適用したデータ記録または再生を行う情報処理装置においてモード変更制御を実行させるコンピュータ・プログラムであり、
制御部に、前記記録媒体を適用したデータ記録またはデータ再生処理を行う場合に、省電力モード対応の待機モードからモード変更を実行してデータ記録または再生処理を実行する動作モードに移行する処理を行わせるモード変更制御ステップを有し、
前記モード変更制御ステップは、
実行予定の処理がデータ記録処理であるかデータ再生処理であるかを判別させるステップと、
データ再生処理である場合に、前記待機モードから前記動作モードへ一段階でのモード変更を実行する第１のモード変更処理と、
データ記録処理である場合に、前記待機モードから中間モードへ移行した後、該中間モードから前記動作モードへ移行する複数段階のモード変更処理を実行する第２のモード変更処理のいずれかのモード変更処理を選択的に実行させるモード変更ステップと、
を有することを特徴とするコンピュータ・プログラムにある。
【００２８】
さらに、本発明の第６の側面は、
ディスク型の記録媒体を適用したデータ記録処理を行う情報処理装置においてモード変更制御を実行させるコンピュータ・プログラムであり、
音声レベル検出部に、記録データの音声レベルを検出させる音声レベル検出ステップと、
制御部に、前記記録媒体を適用したデータ記録処理を行う場合に、省電力モード対応の待機モードからモード変更を実行してデータ記録処理を実行する動作モードに移行する処理を行わせるモード変更制御ステップを有し、
前記モード変更制御ステップは、
前記音声レベル検出部の検出した記録データの音声レベルが予め定めた閾値より大であるか否かを判別させるステップと、
記録データの音声レベルが予め定めた閾値より大である場合に、前記待機モードから前記動作モードへ一段階でのモード変更を実行する第１のモード変更処理と、
記録データの音声レベルが予め定めた閾値より大でない場合に、前記待機モードから中間モードへ移行した後、該中間モードから前記動作モードへ移行する複数段階のモード変更処理を実行する第２のモード変更処理のいずれかのモード変更処理を選択的に実行させるモード変更ステップと、
を有することを特徴とするコンピュータ・プログラムにある。
【００２９】
なお、本発明のコンピュータ・プログラムは、例えば、様々なプログラム・コードを実行可能な汎用コンピュータ・システムに対して、コンピュータ可読な形式で提供する記憶媒体、通信媒体によって提供可能なコンピュータ・プログラムである。このようなプログラムをコンピュータ可読な形式で提供することにより、コンピュータ・システム上でプログラムに応じた処理が実現される。
【００３０】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００３１】
本発明の一実施例構成によれば、ハードディスクやＤＶＤのようにスピンドルやヘッドの制御、さらにサーボ制御などを行なう必要のある記録媒体に対するデータ記録を行う装置において、省電力モードに対応した待機モードからデータ記録や再生処理を実行する動作モードに移行させるためのモード変更制御を行う場合に、実行予定の処理がデータ記録であるか再生であるかを判別し、再生処理である場合には待機モードから動作モードへ一段階でのモード変更を実行し、記録処理である場合には、待機モードから中間モードへ移行した後、中間モードから動作モードへ移行する複数段階のモード変更処理を実行する。あるいは、記録データの音声レベルが予め定めた閾値より大である場合に、待機モードから動作モードへ一段階でのモード変更を実行し、音声レベルが予め定めた閾値より大でない場合に、待機モードから中間モードへ移行した後、中間モードから動作モードへ移行する複数段階のモード変更処理を実行する。このような構成とすることで、モード変更時の動作音のメディアに対する記録を防止してノイズ混在による記録データの品質低下を防ぐことが可能になる。
【発明を実施するための最良の形態】
【００３２】
以下、図面を参照しながら、本発明の情報処理装置、および情報処理方法、並びにコンピュータ・プログラムの詳細について説明する。本発明は、ヘッドのシーク動作、ロード処理、ディスクの回転など、メカニカルな動作を必要とする記録メディアを利用してデータ記録を行う様々な装置において適用可能である。具体的には、例えばハードディスクやＤＶＤなど、ディスク型の記録媒体を適用したデータ記録処理や再生処理を行う情報処理装置において適用可能である。
【００３３】
以下、本発明に係る情報処理装置の１つの実施例として、データ記録メディアとしてハードディスク（ＨＤＤ）を利用した撮像装置の構成および処理について説明する。
【００３４】
ハードディスクを利用したデータ記録に際しては、ヘッドのシーク動作、ロード処理、ディスクの回転など、メカニカルな動作が必要となる。一般に、ハードディスクは、異なる動作状態に対応する複数のモードを有しており、予め設定されたシーケンスに従って各モードが切り替えられる。モードの種類の一例について、図１を参照して説明する。
【００３５】
図１に示す例では、ハードディスク（ＨＤＤ）の設定可能なモードとして６つのモードを示している。例えばデータ記録、再生を実行中に設定される［モード１］〜スリープ状態に対応する［モード６］まで、６段階のモードがあり、各モードにおいて、ＩＤＥインタフェース、スピンドル、ヘッド、サーボ、ＲＦ回路における状態設定が異なる設定とされている。
なお、モード１〜６の区分は、以下の説明において、
モード１＝動作モード、
モード２〜３＝中間モード、
モード４〜６＝待機モード、
として説明する。
【００３６】
例えば、モード３の「アクティブアイドル」の場合、ＲＦ回路が停止、サーボも停止状態にあるが、その他は動作中といった状態になる。消費電力は、モード１→モード２→・・・→モード６と進むほど、低消費電力となる。この設定は、電源管理に関する規格であるＡＰＭ（Ａｄｖａｎｃｅｄ  Ｐｏｗｅｒ  Ｍａｎａｇｅｍｅｎｔ）に規格に対応するモード設定となっている。図１に示すモード１〜６は、ＡＰＭの３種類の設定［Ｈｉｇｈ］，［Ｍｉｄ］，［Ｌｏｗ］にそれぞれ対応し、
ＡＰＭ＝［Ｈｉｇｈ］：モード１（動作モード）、
ＡＰＭ＝［Ｍｉｄ］：モード２〜３（中間モード）、
ＡＰＭ＝［Ｌｏｗ］：モード４〜６（待機モード）、
上記のような対応関係にある。
【００３７】
各モードの切り替えは、制御部の制御によって行なわれる。モードの切り替え時には、例えば様々なメカニカルな動作が発生する場合があり、このような動作に基づく動作ノイズが発生することがある。例えば、モード１またはモード２とモード３〜６の切り替えに際しては、サーボのオン状態とオフ状態との切り替え処理が実行され、このサーボ切り替え処理に伴うノイズが発生する。
【００３８】
また、モード１〜３とモード４〜６間の切り替えに際しては、ヘッドのロードまたはアンロード処理が実行され、ヘッドのロードまたはアンロード処理およびパーキング処理に伴うノイズが発生する。
【００３９】
また、モード１〜４とモード５〜６間の切り替えに際しては、スピンドルの回転開始または停止動作が発生し、このスピンドル動作に伴うノイズが発生する。
【００４０】
記録メディアに対するデータ記録を実行している期間内において、このようなノイズが発生すると、ノイズが記録信号中に混入し、記録信号の品質を低下させることになる。
【００４１】
図１に示すモード設定構成を持つ記録メディアを利用した一般的なデータ記録再生シーケンスについて、図２に示すフローチャートを参照して説明する。図２に示すフローは、例えばビデオカメラやスチルカメラなどの撮像装置、その他記録メディアを利用したデータ記録／再生シーケンスにおけるモードの切り替え制御を説明するシーケンスである。
【００４２】
例えばビデオカメラやスチルカメラなどの撮像装置において、ステップＳ１０１において、ユーザによる電源投入がなされ、撮影開始や再生開始などのユーザからの操作情報を入力すると、ステップＳ１０２において、装置の制御部（ＣＰＵ）は、これらの操作情報に応じて予め決められたＡＰＭの設定を行う。例えば記録処理を実行する場合には、ＡＰＭ＝［Ｈｉｇｈ］に設定する。なお、フローにおいて、ＡＰＭを［Ｈｉｇｈ］、［Ｍｉｄ］、［Ｌｏｗ］の３種類に区分して処理を決定するシーケンスとしているが、これらのＡＰＭ区分と、図１に示すモード１〜６との対応は、先に説明した通り以下の対応関係となっている。
ＡＰＭ＝［Ｈｉｇｈ］：モード１（動作モード）、
ＡＰＭ＝［Ｍｉｄ］：モード２〜３（中間モード）、
ＡＰＭ＝［Ｌｏｗ］：モード４〜６（待機モード）、
【００４３】
ステップＳ１０２におけるＡＰＭ設定の後、ステップＳ１０３においてＡＰＭが［Ｈｉｇｈ］であるか否かが判定され、［Ｈｉｇｈ］である場合には、ステップＳ１０４に進み、パワーモード＝１（動作モード）の設定を実行する。すなわち、図１に示すモード１の設定、具体的には、
ＩＤＥ  Ｉ／Ｆ：Ｅｎａｂｌｅ（動作状態）、
スピンドル：Ｒｏｔａｔｉｎｇ（回転状態）、
ヘッド：Ｌｏａｄ（ロード状態）、
サーボ：ＯＮ、
ＲＦ：Ｅｎａｂｌｅ（動作状態）、
これらの状態設定を行い、ステップＳ１０８に進む。
【００４４】
一方、ステップＳ１０３においてＡＰＭが［Ｈｉｇｈ］でないと判定した場合は、ステップＳ１０５に進み、ステップＳ１０５においてＡＰＭが［Ｍｉｄ］であるか否かを判定する。ＡＰＭ＝［Ｍｉｄ］である場合には、ステップＳ１０６に進み、パワーモード＝２または３（中間モード）の設定を実行する。
【００４５】
なお、パワーモード＝２または３のいずれに設定するかは、ユーザの操作情報に応じて決定する。ステップＳ１０６では、ＩＤＥ  Ｉ／Ｆ、スピンドル、ヘッド、サーボ、ＲＦ、これらの各機構の状態を図１に示すモード２または３の設定状態に設定する処理を実行し、その後、ステップＳ１０８に進む。
【００４６】
一方、ステップＳ１０５においてＡＰＭが［Ｍｉｄ］でないと判定した場合は、ステップＳ１０７に進み、パワーモード＝４〜６（待機モード）のいずれかの設定を実行する。なお、パワーモード＝４〜６のいずれに設定するかは、ユーザの操作情報に応じて決定する。ステップＳ１０７では、ＩＤＥ  Ｉ／Ｆ、スピンドル、ヘッド、サーボ、ＲＦ、これらの各機構の状態を図１に示すモード４〜６のいずれかの設定状態に設定する処理を実行し、その後、ステップＳ１０８に進む。
【００４７】
ステップＳ１０８では、記録メディアに対するデータ記録あるいは再生処理が開始されたか否かを判定し、記録または再生処理が開始されたと判定すると、ステップＳ１０９に進む。ステップＳ１０９では、パワーモード＝１（動作モード）の設定処理を行う。なお、既にパワーモード＝１の設定がなされている場合はこのステップＳ１０９の処理は省略される。すなわち、ステップＳ１０９の処理は、ステップＳ１０４の処理が実行されている場合は省略され、その他のステップＳ１０６、またはステップＳ１０７の処理が行われ、パワーモード＝２〜６（中間モードまたは待機モード）のいずれかの状態にある場合に実行されることになる。
【００４８】
その後、ステップＳ１１０で、データの記録処理または再生処理が終了したか否かが判定され、終了した場合は、ステップＳ１１１に進み、パワーオフが実行されたか否かを判定する。パワーオフが実行されていない場合は、ステップＳ１０３に戻り、ＡＰＭの設定判定移行の処理を繰り返し実行する。ステップＳ１１１においてパワーオフが実行されたと判定した場合は処理を終了する。
【００４９】
この処理シーケンスにおいて、ステップＳ１０３において、ＡＰＭ＝［Ｈｉｇｈ］と判定され、ステップＳ１０４において、モード１の設定が実行された後、ステップＳ１０８に進み、データ記録または再生が開始された場合、モード１の設定状態のままデータ記録、再生が実行されることになるので、図１に示すモード１の設定、具体的には、
ＩＤＥ  Ｉ／Ｆ：Ｅｎａｂｌｅ（動作状態）、
スピンドル：Ｒｏｔａｔｉｎｇ（回転状態）、
ヘッド：Ｌｏａｄ（ロード状態）、
サーボ：ＯＮ、
ＲＦ：Ｅｎａｂｌｅ（動作状態）、
これらの状態設定がデータ記録開始前に行われることになるので、先に説明したモード間の遷移によるノイズが発生することなく、記録データにノイズが混入することはない。ただし、この場合にはモード１が継続することになり、消費電力は最大になる。なお、このときドライブは間欠アクセスを行わないモードとなる。
【００５０】
一方、電源ＯＮの後、ＡＰＭ＝［Ｌｏｗ］である場合、すなわち、ステップＳ１０４，Ｓ１０５の判定がいずれも［Ｎｏ］である場合、ステップＳ１０７において、モードは４〜６のいずれかの設定となり、その後、データ記録または再生開始の判定に基づいてステップＳ１０９でモード１への遷移が実行される。さらに、データ記録や再生が終了した場合に、元のモード４〜６に戻ることになる（ステップＳ１１０→Ｓ１１１→Ｓ１０３→Ｓ１０５→Ｓ１０７）。
【００５１】
このようなモード遷移、すなわち、
モード４〜６→モード１→モード４〜６、
このようなモード遷移が発生すると、図１に示す表から明らかなように、［スピンドル］、［ヘッド］、［サーボ］これらの各状態の少なくともいずれかの状態遷移が行われ、その結果ノイズが発生して発生ノイズがメディアに記録される可能性がある。ただしこのモード４〜６とモード１間の状態遷移を行う場合、記録メディアの駆動を行うドライブは、モード１→モード４〜６→モード１を繰り返す間欠アクセスを行うことになるため、消費電力は、先に説明したモード１（ＡＰＭ＝［Ｈｉｇｈ］）の場合より少ないＡＰＭ＝［Ｌｏｗ］となる。
【００５２】
ステップＳ１０６において、モード３の設定が実行された後、ステップＳ１０９においてモード１へのモード変更が行われる場合も、図１に示す表から理解されるように、サーボのＯＮ／ＯＦＦ切り替えが発生し、ノイズが記録されてしまう可能性がある。なお、モード２〜３の設定とモード１との状態遷移を行う場合、記録メディアの駆動を行うドライブは、モード１→モード２〜３→モード１を繰り返す間欠アクセスを行うことになるため、消費電力は、先に説明したモード１（ＡＰＭ＝［Ｈｉｇｈ］）の場合より少ないＡＰＭ＝［Ｍｉｄ］となる。
【００５３】
このように、消費電力を低減させるためには、
モード１→モード２〜３→モード１、または、
モード１→モード４〜６→モード１、
このようなモード遷移により間欠記録を行うことが有効であるが、このような処理を実行すると、図１に示す表から明らかなように、［スピンドル］、［ヘッド］、［サーボ］これらの各状態の少なくともいずれかの状態遷移が行われ、その結果ノイズが発生して発生ノイズがメディアに記録され、記録データの品質低下を発生させてしまう。
【００５４】
本発明の装置では、このようなモード遷移に伴うノイズの記録を防止した制御を行う。以下、本発明の３つの実施例として、
（１）モード遷移をデータ記録および再生処理に応じて変更する制御例
（２）モード遷移を記録データのレベル（Ｓｏｕｎｄ  Ｌｅｖｅｌ）に応じて変更する制御例
（３）モード遷移をデータ記録および再生処理と、記録データのレベル（Ｓｏｕｎｄ  Ｌｅｖｅｌ）に応じて変更する制御例
これらの３種類の制御例について実施例１〜３として説明する。
【００５５】
［実施例１］
（１）モード遷移をデータ記録および再生処理に応じて変更する制御例
まず、モード遷移をデータ記録および再生処理に応じて変更する制御例について説明する。図３に本実施例に係る撮像装置の主要構成を説明するブロック図を示す。なお、図３は、本実施例を説明するために必要となる主要構成を示すブロック図であり、詳細な装置構成については、後段で説明する。撮像装置は、図３に示すように、撮像部１０１と、音声入力部１０２、信号処理部１０３、制御部１０４、操作部１０５を有し、ハードディスクやＤＶＤなどからなる記録メディア１１１を有する。
【００５６】
撮像部１０１は、光学系、撮像素子等からなり画像データを撮影する。音声入力部１０２は、マイクを有し、音声情報を取得する。信号処理部１０３は、撮像部１０１において取得された画像信号、および音声入力部１０２において取得された音声信号を記録メディア１１１に対して記録するデータ態様に変換、例えば圧縮処理、フォーマット生成処理などを実行する。制御部１０４は、データの記録制御、記録メディアの動作制御など、装置において実行される各種処理の制御を行なう。
【００５７】
操作部１０５は、ユーザによって操作されるボタン、スイッチ等からなり、撮影の開始、停止、さらに、記録メディアの選択情報などを入力する。撮像部１０１において取得された画像信号、および音声入力部１０２において取得された音声信号は、制御部１０４の制御の下で記録メディア１１１に記録される。なお、記録メディア１１１は、先に図１を参照して説明したように、異なるモードに設定可能な記録メディアである。
【００５８】
次に、本実施例のモード制御シーケンス、すなわち、モード遷移をデータ記録および再生処理に応じて変更する制御シーケンスについて図４に示すフローチャートを参照して説明する。
【００５９】
図４に示すフローは、図２のフローと同様、例えばビデオカメラやスチルカメラなどの撮像装置、その他記録メディアを利用したデータ記録／再生シーケンスにおけるモードの切り替え制御を説明するシーケンスである。ステップＳ２０１において、ユーザによる電源投入がなされると、ステップＳ２０２において、装置の制御部（ＣＰＵ）は、ＡＰＭ＝［Ｌｏｗ］の設定を行い、ステップＳ２０３において、図１に示すモード４〜６のいずれかのモード（待機モード）に設定する。いずれの状態にするかはユーザ操作情報に従って決定するか、あるいは予め設定したいずれかの状態とする。なお、モード４〜６（待機モード）はＡＰＭ＝［Ｌｏｗ］に対応する低消費電力モードである。
【００６０】
次に、ステップＳ２０４において、例えばユーザ操作情報に基づいて、データ記録（ＲＥＣ）モードを開始するか否かを判定する。記録（ＲＥＣ）モードの場合はステップＳ２０９に進み、記録（ＲＥＣ）モードでない場合は、ステップＳ２０５に進む。
【００６１】
ステップＳ２０５では、例えばユーザの操作情報が、再生（Ｒｅａｄ）のスタート要求であるか否かを判定する。Ｎｏである場合は、ステップＳ２０４に戻る。すなわち、記録または再生のいずれかのユーザ操作要求を待機する。再生要求があったと判定すると、ステップＳ２０６に進み、モード＝１（動作モード）の設定を実行する。すなわち、図１に示すモード１（動作モード）の設定、具体的には、
ＩＤＥ  Ｉ／Ｆ：Ｅｎａｂｌｅ（動作状態）、
スピンドル：Ｒｏｔａｔｉｎｇ（回転状態）、
ヘッド：Ｌｏａｄ（ロード状態）、
サーボ：ＯＮ、
ＲＦ：Ｅｎａｂｌｅ（動作状態）、
これらの状態設定を行い、ステップＳ２０７に進む。
【００６２】
ステップＳ２０７では、再生終了判定を行い、再生が終了した場合は、ステップＳ２０８に進み、パワーＯＦＦがなされたか否かを判定し、パワーＯＦＦがなされた場合には処理を終了する。パワーＯＦＦがなされていない場合は、ステップＳ２０３に戻り、モード４〜６（待機モード）のいずれかに復帰し、ステップＳ２０３以下の処理を繰り返す。
【００６３】
一方、ステップＳ２０４において、例えばユーザ操作情報に基づいて、データ記録（ＲＥＣ）モードを開始すると判定した場合は、ステップＳ２０９に進み、ここで、中間的な電力消費レベルであるＡＰＭ＝［Ｍｉｄ］の設定を行い、ステップＳ２１０において図１に示すモード２または３（中間モード）の状態を設定する。いずれの状態にするかはユーザ操作情報に従って決定するか、あるいは予め設定したいずれか一方の状態とする。
【００６４】
次に、ステップＳ２１１に進み、例えばユーザの操作情報により記録開始されたか否かを判定する。Ｎｏである場合は待機し、Ｙｅｓである場合は、ステップＳ２１２に進み、モード＝１（動作モード）の設定を実行する。すなわち、図１に示すモード１の設定、具体的には、
ＩＤＥ  Ｉ／Ｆ：Ｅｎａｂｌｅ（動作状態）、
スピンドル：Ｒｏｔａｔｉｎｇ（回転状態）、
ヘッド：Ｌｏａｄ（ロード状態）、
サーボ：ＯＮ、
ＲＦ：Ｅｎａｂｌｅ（動作状態）、
これらの状態設定を行い、ステップＳ２１３に進む。
【００６５】
ステップＳ２１３では記録が終了したか否かを判定し、記録終了の判定がなされた場合は、ステップＳ２１４に進む。ステップＳ２１４では、記録終了後に記録（Ｒｅｃ）モードを維持するか否かを判定する。本発明の装置では、実際のデータ記録が終了した場合において、記録（Ｒｅｃ）モードを維持する設定、および記録（Ｒｅｃ）モードを終了する設定のいずれかを設定可能な構成としている。
【００６６】
データ記録が終了した場合において、記録（Ｒｅｃ）モードを維持する場合には、ステップＳ２１４からステップＳ２１０に戻り、モード１（動作モード）からモード２または３（中間モード）へのモード遷移を行う。この処理により、ＡＰＭは［Ｈｉｇｈ］から［Ｍｉｄ］に遷移することになり、消費電力を低減できる。
【００６７】
一方、実際のデータ記録が終了した場合において、記録（Ｒｅｃ）モードを維持しない場合には、ステップＳ２１４からステップＳ２１５に進み、例えばユーザ操作によるパワーオフがなされたか否かを判定し、パワーオフがなされない場合は、ステップＳ２０２に戻り、ＡＰＭ＝［Ｌｏｗ］の低消費電力モードに移行する。一方、ステップＳ２１５においてパワーオフがなされたと判定した場合は、処理を終了する。
【００６８】
この処理シーケンスではステップＳ２０１の電源ＯＮ処理の後、必ずＡＰＭ＝Ｌｏｗに設定して、モードは４〜６（待機モード）いずれかの設定とする。例えばモード＝５に設定するといった処理を行う。このモードは低消費電力モードである。
【００６９】
その後、ユーザ操作情報に基づいて、データの記録を実行するのか再生を実行するのかを判断（Ｓ２０４〜Ｓ２０５）し、データ再生の場合には、
モード４〜６（待機モード）→モード１（動作モード）
このモード変更処理を行う。
このモード変更処理に際しては、図１に示すデータから理解されるように、［スピンドル］、［ヘッド］、［サーボ］これらの各状態の少なくともいずれかの状態遷移が行われ、その結果ノイズが発生するが、再生モードではノイズが発生しても記録されることはない。
【００７０】
一方、データ記録を行う場合は、ステップＳ２１０において、
モード４〜６（待機モード）→モード２〜３（中間モード）
このモード変更がなされた後、実際のデータ記録の開始時点で、ステップＳ２１２のモード１（動作モード）へのモード変更を行う設定としている。
すなわち、データ記録を行う場合には、
（ａ）モード４〜６（待機モード）→モード２〜３（中間モード）、
（ｂ）モード２〜３（中間モード）→モード１（動作モード）、
これら（ａ），（ｂ）の２段階のモード変更を実行する構成としている。
【００７１】
（ａ）モード４〜６（待機モード）→モード２〜３（中間モード）のモード変更時には、図１に示すデータから理解されるように、［スピンドル］、［ヘッド］、［サーボ］これらの各状態の少なくともいずれかの状態遷移が行われ、その結果ノイズが発生するが、このモード変更時点では、データ記録は実行されておらず、ノイズが発生しても記録されることはない。
【００７２】
その後、データ記録の開始時点で、（ｂ）モード２〜３（中間モード）→モード１（動作モード）のモード変更が行われる。このモード変更においては、図１に示すデータから理解されるように、
例えば、モード２（中間モード）→モード１（動作モード）のモード変更に際しては、［スピンドル］、［ヘッド］、［サーボ］これらの各状態の状態遷移はなく、その結果ノイズが発生することなく、このモード変更時にノイズが記録される可能性はない。
また、モード３（中間モード）→モード１（動作モード）のモード変更に際しては、［スピンドル］、［ヘッド］の各状態の状態遷移はなく、［サーボ］のみの状態遷移による低減されたノイズのみとなり、モード変更時のノイズの記録可能性を低減させることができる。
【００７３】
さらに、データ記録が終了した場合（ステップＳ２１３でＹｅｓ）に、記録（ＲＥＣ）モードを維持する場合は、モード２〜３（中間モード）のＡＰＭ＝［Ｍｉｄ］状態に遷移し、記録（ＲＥＣ）モードを維持しない場合は、モード４〜６（待機モード）のＡＰＭ＝［Ｌｏｗ］状態に遷移する構成であり、消費電力を高いまま、すなわちＡＰＭ＝［Ｈｉｇｈ］に維持する設定ではないので、消費電力を低減させることが可能となる。
【００７４】
例えばデータ再生処理においては、
ＡＰＭ［Ｌｏｗ］（モード４〜６（待機モード））とＡＰＭ［Ｈｉｇｈ］（モード１（動作モード））、
データ記録処理においては、
ＡＰＭ［Ｌｏｗ］（モード４〜６（待機モード））とＡＰＭ［Ｍｉｄ（モード２〜３（中間モード））と、ＡＰＭ［Ｈｉｇｈ］（モード１（動作モード））、
これらのモード遷移を繰り返す間欠アクセスとなり、常時ＡＰＭ［Ｈｉｇｈ］に保持する設定に比較して消費電力を低減することが可能となる。
【００７５】
なお、本実施例において、動作モードから待機モードへの復帰に際して、制御部１０４は実行処理がデータ記録処理であるかデータ再生処理であるかを判別し、データ再生処理である場合には、動作モードから待機モードへ一段階でのモード変更を実行し、データ記録処理である場合には、動作モードから中間モードへ移行した後、該中間モードから待機モードへ移行する複数段階のモード変更処理を実行する。
【００７６】
［実施例２］
（２）モード遷移を記録データのレベル（Ｓｏｕｎｄ  Ｌｅｖｅｌ）に応じて変更する制御例
次に、モード遷移を記録データのレベル（Ｓｏｕｎｄ  Ｌｅｖｅｌ）に応じて変更する制御例について説明する。図５に本実施例に係る撮像装置の主要構成を説明するブロック図を示す。撮像装置は、図５に示す構成は、先に図３を参照して説明した撮像装置の構成に、音声レベル検出部１５１を追加した構成である。撮像部１０１と、音声入力部１０２、信号処理部１０３、制御部１０４、操作部１０５、ハードディスクやＤＶＤなどからなる記録メディア１１１は、実施例１と同様である。
【００７７】
撮像部１０１は、光学系、撮像素子等からなり画像データを撮影する。音声入力部１０２は、マイクを有し、音声情報を取得する。信号処理部１０３は、撮像部１０１において取得された画像信号、および音声入力部１０２において取得された音声信号を記録メディア１１１に対して記録するデータ態様に変換、例えば圧縮処理、フォーマット生成処理などを実行する。制御部１０４は、データの記録制御、記録メディアの動作制御など、装置において実行される各種処理の制御を行なう。
【００７８】
操作部１０５は、ユーザによって操作されるボタン、スイッチ等からなり、撮影の開始、停止、さらに、記録メディアの選択情報などを入力する。撮像部１０１において取得された画像信号、および音声入力部１０２において取得された音声信号は、制御部１０４の制御の下で記録メディア１１１に記録される。なお、記録メディア１１１は、先に図１を参照して説明したように、異なるモードに設定可能な記録メディアである。
【００７９】
音声レベル検出部１５１は、音声入力部１０２から入力する記録データである音声のレベルを検出する。制御部１０４は、この検出レベル情報を利用したモード変更処理を実行する。
【００８０】
本実施例のモード制御シーケンス、すなわち、モード遷移を記録データのレベル（Ｓｏｕｎｄ  Ｌｅｖｅｌ）に応じて変更する制御シーケンスについて図６に示すフローチャートを参照して説明する。
【００８１】
図６に示すフローは、図２、図４のフローと同様、例えばビデオカメラやスチルカメラなどの撮像装置、その他記録メディアを利用したデータ記録／再生シーケンスにおけるモードの切り替え制御を説明するシーケンスである。ステップＳ３０１において、例えばユーザによる電源投入がなされると、ステップＳ３０２において、装置の音声レベル検出部が、記録データの音声レベル（ＳＬ：Ｓｏｕｎｄ  Ｌｅｖｅｌ）を検出する。
【００８２】
次に、装置の制御部（ＣＰＵ）は、検出した記録データの音声レベル［ＳＬ］と、予め設定された閾値［ＴＨ］を比較し、さらに実行する処理がデータ記録処理であるかを判定する。
【００８３】
記録データの音声レベル［ＳＬ］が閾値［ＴＨ］未満、すなわち、
ＳＬ＜ＴＨ
上記式が成立し、かつデータ記録が行われる場合には、ステップＳ３０４に進む。
一方、
ＳＬ＜ＴＨ
上記式が成立しない場合、あるいはデータ記録が行われない場合には、ステップＳ３１１に進む。
【００８４】
ＳＬ＜ＴＨが成立し、かつデータ記録が行われる場合には、ステップＳ３０４に進み、中間的な電力消費レベルであるＡＰＭ＝［Ｍｉｄ］の設定を行い、ステップＳ３０５において図１に示すモード２または３（中間モード）の状態を設定する。いずれの状態にするかはユーザ操作情報に従って決定するか、あるいは予め設定したいずれか一方の状態とする。
【００８５】
次に、ステップＳ３０６に進み、例えばユーザの操作情報によりデータの記録または再生処理が開始されたか否かを判定する。なお、ステップＳ３０３→Ｓ３０４→Ｓ３０５→Ｓ３０６の各ステップの流れの場合は、記録データの音声レベルが低い（ＳＬ＜ＴＨ）場合のデータ記録処理が行われることになる。
【００８６】
データ記録が開始される直前に、ステップＳ３０７においてモード＝１の設定を実行する。すなわち、図１に示すモード１（動作モード）の設定、具体的には、
ＩＤＥ  Ｉ／Ｆ：Ｅｎａｂｌｅ（動作状態）、
スピンドル：Ｒｏｔａｔｉｎｇ（回転状態）、
ヘッド：Ｌｏａｄ（ロード状態）、
サーボ：ＯＮ、
ＲＦ：Ｅｎａｂｌｅ（動作状態）、
これらの状態設定を行い、ステップＳ３０８に進む。
【００８７】
ステップＳ３０８ではデータ記録または再生が終了したか否かを判定し、終了の判定がなされた場合は、ステップＳ３０９に進む。ステップＳ３０９では、例えばユーザ操作によるパワーオフがなされたか否かを判定し、パワーオフがなされない場合は、ステップＳ３０２に戻り、音声レベル検出処理以下の処理を繰り返し実行する。
【００８８】
一方、ステップＳ３０２において、記録データの音声レベルが閾値以上（ＳＬ≧ＴＨ）でのデータ記録、またはデータ再生が行われると判定された場合には、ステップＳ３１１に進み、ＡＰＭ＝［Ｌｏｗ］の低消費電力モードに移行し、ステップＳ３１２において、図１に示すモード４〜６（待機モード）のいずれかのモードに設定する。いずれの状態にするかはユーザ操作情報に従って決定するか、あるいは予め設定したいずれかの状態とする。なお、モード４〜６（待機モード）はＡＰＭ＝［Ｌｏｗ］に対応する低消費電力モードである。
【００８９】
その後、ステップＳ３０６に進み、例えばユーザの操作情報によりデータの記録または再生処理が開始されたか否かを判定する。なお、ステップＳ３０３→Ｓ３１１→Ｓ３１２→Ｓ３０６の各ステップの流れの場合は、記録データの音声レベルが高い（ＳＬ≧ＴＨ）場合のデータ記録処理、またはデータ再生処理が行われることになる。
【００９０】
データ記録または再生処理が開始される直前に、ステップＳ３０７においてモード＝１の設定を実行する。すなわち、図１に示すモード１（動作モード）の設定、具体的には、
ＩＤＥ  Ｉ／Ｆ：Ｅｎａｂｌｅ（動作状態）、
スピンドル：Ｒｏｔａｔｉｎｇ（回転状態）、
ヘッド：Ｌｏａｄ（ロード状態）、
サーボ：ＯＮ、
ＲＦ：Ｅｎａｂｌｅ（動作状態）、
これらの状態設定を行い、ステップＳ３０８に進む。
【００９１】
ステップＳ３０８ではデータ記録または再生が終了したか否かを判定し、終了の判定がなされた場合は、ステップＳ３０９に進む。ステップＳ３０９では、例えばユーザ操作によるパワーオフがなされたか否かを判定し、パワーオフがなされない場合は、ステップＳ３０２に戻り、音声レベル検出処理以下の処理を繰り返し実行する。
【００９２】
この図６に従ったフローにおいては、
（ａ）記録データの音声レベル［ＳＬ］が閾値［ＴＨ］未満、すなわち、
ＳＬ＜ＴＨ
上記式が成立し、かつデータ記録が行われる場合のモード変更は、
モード２ｏｒ３（中間モード）→モード１（動作モード）、
のモード変更制御となる。
【００９３】
一方、
（ｂ）記録データの音声レベル［ＳＬ］が閾値［ＴＨ］以上、すなわち、
ＳＬ≧ＴＨ
上記式が成立するデータ記録か、またはデータ再生が行われる場合のモード変更は、
モード４〜５（待機モード）→モード１（動作モード）、
のモード変更制御となる。
【００９４】
（ａ）モード２ｏｒ３（中間モード）→モード１（動作モード）のモード変更時には、図１に示すデータから理解されるように、
例えば、モード２（中間モード）→モード１（動作モード）のモード変更に際しては、［スピンドル］、［ヘッド］、［サーボ］これらの各状態の状態遷移はなく、その結果ノイズが発生することなく、このモード変更時にノイズが記録される可能性はない。
また、モード３（中間モード）→モード１（動作モード）のモード変更に際しては、［スピンドル］、［ヘッド］の各状態の状態遷移はなく、［サーボ］のみ状態遷移が発生するが、その発生ノイズは低減され、このモード変更時のノイズが記録される可能性も低減させることができる。
【００９５】
（ａ）記録データの音声レベル［ＳＬ］が閾値［ＴＨ］未満（ＳＬ＜ＴＨ）で、かつデータ記録が行われる場合、メカニカルノイズが記録データ中に混在すると、ノイズが目立つ可能性が高いが、上記シーケンスのように、
モード２ｏｒ３（中間モード）→モード１（動作モード）のモード変更
を実行する構成とすることで、発生するノイズを０または減少させることで、記録データ中にノイズが含まれる可能性を低減している。
【００９６】
一方、
（ｂ）記録データの音声レベル［ＳＬ］が閾値［ＴＨ］以上、すなわち、
ＳＬ≧ＴＨ
上記式が成立するデータ記録か、またはデータ再生が行われる場合のモード変更は、
モード４〜５（待機モード）→モード１（動作モード）、
のモード変更制御となり、この場合は、図１に示すデータから理解されるように、［スピンドル］、［ヘッド］、［サーボ］これらの各状態の少なくともいずれかの状態遷移が行われ、その結果ノイズが発生するが、このモード変更が行われる場合は、記録データの音声レベル［ＳＬ］が閾値［ＴＨ］以上（ＳＬ≧ＴＨ）の場合のデータ記録か、またはデータ再生が行われる場合であり、ノイズの記録がなされても目立たないことになり記録データの品質を大きく低下させることはない。
【００９７】
また、本実施例においても、データ記録終了後にステップＳ３０９においてパワーオフがなされない場合は、ステップＳ３０２に戻り記録データの音声レベル検出後に、ステップＳ３０４〜Ｓ３０５、またはステップＳ３１１〜Ｓ３１２の処理が実行され、
＊ＡＰＭ＝Ｍｉｄに対応するモード２〜３（中間モード）の設定、または、
＊ＡＰＭ＝Ｌｏｗに対応するモード４〜６（待機モード）の設定、
これらのモード変更が実行され、その後、再度データ記録または再生が実行される場合にはモード１（動作モード）へ変更するモード遷移処理が実行されることになり、
ＡＰＭ［Ｍｉｄ］（モード２〜３（中間モード））とＡＰＭ［Ｈｉｇｈ］（モード１（動作モード））、または、
ＡＰＭ［Ｌｏｗ］（モード４〜６（待機モード））とＡＰＭ［Ｈｉｇｈ］（モード１（動作モード））、
これらのいずれかのモード遷移を繰り返す間欠アクセスとなり、常時ＡＰＭ［Ｈｉｇｈ］に保持する設定に比較して消費電力を低減することが可能となる。
【００９８】
なお、本実施例において、動作モードから待機モードへの復帰に際して、制御部１０４は、音声レベル検出部の検出した記録データの音声レベルが予め定めた閾値より大であるか否かを判別し、記録データの音声レベルが予め定めた閾値より大である場合には、動作モードから前記待機モードへ一段階でのモード変更を実行し、記録データの音声レベルが予め定めた閾値より大でない場合には、動作モードから中間モードへ移行した後、該中間モードから待機モードへ移行する複数段階のモード変更処理を実行する。
【００９９】
［実施例３］
（３）モード遷移をデータ記録および再生処理と、記録データのレベル（Ｓｏｕｎｄ  Ｌｅｖｅｌ）に応じて変更する制御例
次に、モード遷移をデータ記録および再生処理と、記録データのレベル（Ｓｏｕｎｄ  Ｌｅｖｅｌ）に応じて変更する制御例について説明する本実施例３は、先に実施例２の構成として説明した図５のブロック図の構成と同様の構成で実現可能である。
【０１００】
本実施例のモード制御シーケンスについて図７に示すフローチャートを参照して説明する。
【０１０１】
図７に示すフローは、図２、図４、図６のフローと同様、例えばビデオカメラやスチルカメラなどの撮像装置、その他記録メディアを利用したデータ記録／再生シーケンスにおけるモードの切り替え制御を説明するシーケンスである。ステップＳ４０１において、例えばユーザによる電源投入がなされると、ステップＳ４０２において、装置の制御部（ＣＰＵ）は、ＡＰＭ＝［Ｌｏｗ］の設定を行い、ステップＳ４０３において、図１に示すモード４〜６のいずれかのモードに設定する。いずれの状態にするかはユーザ操作情報に従って決定するか、あるいは予め設定したいずれかの状態とする。なお、モード４〜６はＡＰＭ＝［Ｌｏｗ］に対応する低消費電力モードである。
【０１０２】
次に、ステップＳ４０４において、例えばユーザ操作情報に基づいて、データ記録（ＲＥＣ）モードを開始するか否かを判定する。記録（ＲＥＣ）モードの場合はステップＳ４０９に進み、記録（ＲＥＣ）モードでない場合は、ステップＳ４０５に進む。
【０１０３】
ステップＳ４０５では、例えばユーザの操作情報が、再生（Ｒｅａｄ）のスタート要求であるか否かを判定する。Ｎｏである場合は、ステップＳ４０４に戻る。すなわち、記録または再生のいずれかのユーザ操作要求を待機する。再生要求があったと判定すると、ステップＳ４０６に進み、モード＝１の設定を実行する。すなわち、図１に示すモード１（動作モード）の設定、具体的には、
ＩＤＥ  Ｉ／Ｆ：Ｅｎａｂｌｅ（動作状態）、
スピンドル：Ｒｏｔａｔｉｎｇ（回転状態）、
ヘッド：Ｌｏａｄ（ロード状態）、
サーボ：ＯＮ、
ＲＦ：Ｅｎａｂｌｅ（動作状態）、
これらの状態設定を行い、ステップＳ４０７に進む。
【０１０４】
ステップＳ４０７では、再生終了判定を行い、再生が終了した場合は、ステップＳ４０８に進み、パワーＯＦＦがなされたか否かを判定し、パワーＯＦＦがなされた場合には処理を終了する。パワーＯＦＦがなされていない場合は、ステップＳ４０３に戻り、モード４〜６（待機モード）のいずれかに復帰し、ステップＳ４０３以下の処理を繰り返す。
【０１０５】
一方、ステップＳ４０４において、例えばユーザ操作情報に基づいて、データ記録（ＲＥＣ）モードを開始すると判定した場合は、ステップＳ４０９に進み、ステップＳ４０９において、装置の音声レベル検出部が、記録データの音声レベル（ＳＬ：Ｓｏｕｎｄ  Ｌｅｖｅｌ）を検出する。
【０１０６】
次に、装置の制御部（ＣＰＵ）は、ステップＳ４１０において、検出した記録データの音声レベル［ＳＬ］と、予め設定された閾値［ＴＨ］を比較する。すなわち、
記録データの音声レベル［ＳＬ］が閾値［ＴＨ］未満、
ＳＬ＜ＴＨ
上記式が成立するか否かを判定する。
【０１０７】
上記式が成立する場合、すなわち、記録データの音声レベル［ＳＬ］が小さく、閾値［ＴＨ］未満であると判定した場合は、ステップＳ４１１に進み、中間的な電力消費レベルであるＡＰＭ＝［Ｍｉｄ］の設定を行い、ステップＳ４１２において図１に示すモード２または３（中間モード）の状態を設定する。いずれの状態にするかはユーザ操作情報に従って決定するか、あるいは予め設定したいずれか一方の状態とする。その後、ステップＳ４１５に進む。
【０１０８】
一方、ステップＳ４１０において、記録データの音声レベル［ＳＬ］が大きく、閾値［ＴＨ］未満（ＳＬ＜ＴＨ）でないと判定した場合は、ステップＳ４１３に進み、低電力消費レベルであるＡＰＭ＝［Ｌｏｗ］の設定を行い、ステップＳ４１４において図１に示すモード４〜６（待機モード）いずれかの状態を設定する。いずれの状態にするかはユーザ操作情報に従って決定するか、あるいは予め設定したいずれかの状態とする。その後、ステップＳ４１５に進む。
【０１０９】
ステップＳ４１５では、例えばユーザの操作情報によりデータの記録または再生処理が開始されたか否かを判定する。データ記録が開始される直前に、ステップＳ４１６においてモード＝１（動作モード）の設定を実行する。すなわち、図１に示すモード１の設定、具体的には、
ＩＤＥ  Ｉ／Ｆ：Ｅｎａｂｌｅ（動作状態）、
スピンドル：Ｒｏｔａｔｉｎｇ（回転状態）、
ヘッド：Ｌｏａｄ（ロード状態）、
サーボ：ＯＮ、
ＲＦ：Ｅｎａｂｌｅ（動作状態）、
これらの状態設定を行い、ステップＳ４１７に進む。
【０１１０】
ステップＳ４１７ではデータ記録が終了したか否かを判定し、終了の判定がなされた場合は、ステップＳ４１８に進む。ステップＳ４１８では、記録終了後に記録（Ｒｅｃ）モードを維持するか否かを判定する。本発明の装置では、実際のデータ記録が終了した場合において、記録（Ｒｅｃ）モードを維持する設定、および記録（Ｒｅｃ）モードを終了する設定のいずれかを設定可能な構成としている。
【０１１１】
データ記録が終了した場合において、記録（Ｒｅｃ）モードを維持する場合には、ステップＳ４１８からステップＳ４０９に戻り、音声レベルの検出処理以下の処理を繰り返す。検出された音声レベルに応じて、モード１（動作モード）からモード２または３（中間モード）へのモード変更、またはモード１（動作モード）からモード４〜６（待機モード）へのモード変更を行う。この処理により、ＡＰＭは［Ｈｉｇｈ］から［Ｍｉｄ］または［Ｌｏｗ］に遷移することになり、消費電力を低減できる。
【０１１２】
一方、実際のデータ記録が終了した場合において、記録（Ｒｅｃ）モードを維持しない場合には、ステップＳ４１８からステップＳ４１９に進み、例えばユーザ操作によるパワーオフがなされたか否かを判定し、パワーオフがなされない場合は、ステップＳ４０２に戻り、ＡＰＭ＝［Ｌｏｗ］の低消費電力モードに移行する。一方、ステップＳ４１９においてパワーオフがなされたと判定した場合は、処理を終了する。
【０１１３】
この図７に従ったフローにおいては、
（ａ）データ再生処理の場合は、
モード４〜６（待機モード）とモード１（動作モード）間のモード変更、
（ｂ）データ記録の場合、
（ｂ１）記録データの音声レベル［ＳＬ］が閾値［ＴＨ］未満（ＳＬ＜ＴＨ）の場合は、
モード４〜６（待機モード）とモード２〜３（中間モード）とモード１（動作モード）間のモード変更、
（ｂ２）記録データの音声レベル［ＳＬ］が閾値［ＴＨ］以上（ＳＬ≧ＴＨ）の場合は、
モード４〜６（待機モード）とモード１（動作モード）間のモード変更、
これらの異なるモード変更処理が実行される。
【０１１４】
これら（ａ），（ｂ１），（ｂ２）の処理においてメカニカルノイズが問題となるのは、
（ｂ１）記録データの音声レベル［ＳＬ］が閾値［ＴＨ］未満（ＳＬ＜ＴＨ）の場合、
であるが、この場合、記録処理時のモード１（動作モード）の直前のモードはモード２または３（中間モード）であり、モード２（中間モード）→モード１（動作モード）のモード変更に際しては、［スピンドル］、［ヘッド］、［サーボ］これらの各状態の状態遷移はなく、その結果ノイズが発生することなく、また、モード３（中間モード）→モード１（動作モード）のモード変更に際しては、［スピンドル］、［ヘッド］の各状態の状態遷移はなく、［サーボ］のみの状態遷移による低減されたノイズのみとなり、モード変更時のノイズの記録可能性を低減させることができる。
【０１１５】
さらに、本例においてもデータ記録が終了した場合に、記録（ＲＥＣ）モードを維持する場合は、モード２〜３（中間モード）のＡＰＭ＝［Ｍｉｄ］状態またはモード４〜６（待機モード）のＡＰＭ＝［Ｌｏｗ］いずれかに遷移し、記録（ＲＥＣ）モードを維持しない場合は、モード４〜６（待機モード）のＡＰＭ＝［Ｌｏｗ］状態に遷移する構成であり、消費電力を高いまま、すなわちＡＰＭ＝［Ｈｉｇｈ］に維持する設定ではないので、消費電力を低減させることが可能となる。
【０１１６】
なお、本実施例において、動作モードから待機モードへの復帰に際して、制御部１０４は、音声レベル検出部の検出した記録データの音声レベルが予め定めた閾値より大であるか否かを判別し、記録データの音声レベルが予め定めた閾値より大である場合には、動作モードから前記待機モードへ一段階でのモード変更を実行し、記録データの音声レベルが予め定めた閾値より大でない場合には、動作モードから中間モードへ移行した後、該中間モードから待機モードへ移行する複数段階のモード変更処理を実行する。さらに、実行処理がデータ記録処理であるかデータ再生処理であるかを判別し、データ再生処理である場合には、動作モードから待機モードへ一段階でのモード変更を実行し、データ記録処理である場合には、動作モードから中間モードへ移行した後、該中間モードから待機モードへ移行する複数段階のモード変更処理を実行する。
【０１１７】
次に、上述した処理を実行する情報処理装置のシステム構成例について説明する。上述した情報記録媒体に対するデータ記録および情報記録媒体からのデータ再生処理は、例えばデジタルビデオカメラ、ＰＣなどの情報処理装置のＣＰＵによる所定のデータ処理プログラムの実行によって行なわれる。
【０１１８】
すなわち、図８に示すように、ハードディスク等の情報記録媒体２０４に対してデータを記録したり、記録媒体に記録されているデータを読み出して利用したりする場合には、ユーザとの窓口となるアプリケーションプログラム２０１の下層に情報記録媒体２０４上のファイルを管理するためのファイルシステム（ファイル管理プログラム）２０２とファイルシステムからの情報に基づいて情報記録媒体２０４を制御するデバイスドライバ２０３とが存在する。
【０１１９】
情報記録媒体２０４に対してデータを記録、または情報記録媒体２０４からデータを再生する場合には、ファイルシステム２０２、デバイスドライバ２０３の機能によりデータの書き込み、再生が実行される。従来と同様の処理によって、ファイルシステム⇔デバイスドライバ⇔記録媒体（ハードディスク）といった構成で処理は行なわれる。
【０１２０】
次に、上述した処理を実行する情報処理装置の構成例として、撮像装置としてのデジタルビデオカメラの装置構成例について、図９を参照して説明する。
【０１２１】
デジタルビデオカメラは、画像および音声情報を取得し、画像データおよび音声データを、ドライブ４３２を介して磁気ディスク、光ディスク、光磁気ディスク、半導体メモリ等の各種情報記録媒体に記録する。
【０１２２】
メディアに対するデータ記録処理には、動画を撮像すると共に、これと同時に収音するようにした音声とを記録媒体に記録する動画撮像モードと、静止画を撮像する静止画撮像モードとがある。また、再生モード時においては、記録ボタンスイッチなどによって構成される操作入力部４２０を操作することにより供給されるデータの記録が行われるようにされ、再生ボタンスイッチを操作することにより記録媒体に記録されている目的とするデータを再生することができる。
【０１２３】
図９に示すように、デジタルビデオカメラは、光学レンズ部４１１、光電変換部４１２、カメラ機能制御部４０２、画像信号処理部４１３、画像入出力部４１４、液晶ディスプレイ４１５、音声入出力部４１６、音声信号処理部４１７、通信部４３１、制御部（ＣＰＵ）４０１、内蔵メモリ（ＲＡＭ）４１８、内蔵メモリ（ＲＯＭ）４１９、操作入力部４２０、情報記録媒体に対するドライブ４３２、さらに、各構成部に対する電力供給を行なう電源４４１、さらに音声レベル検出部４５１を備えたものである。
【０１２４】
制御部（ＣＰＵ）４０１は、ＲＯＭ４１９に格納された各種の処理プログラムに従って処理を実行する。ＲＡＭ４１８は、各処理において途中結果を一時記憶するなど、主に作業領域として用いられる。
【０１２５】
操作入力部４０１は、動画撮影モード、静止画撮影モード、ＶＴＲモードなどの動作モードを切り換えるモード切り換えキー、静止画の撮影のためのシャッターキー、動画を撮影するための撮影開始キー、録画キー、再生キー、停止キー、早送りキー、早戻しキーなどの種々の操作キーや機能キーなどを備え、ユーザからの操作入力を受け付けて、受け付けた操作入力に応じた電気信号を制御部（ＣＰＵ）４０１に供給する。
【０１２６】
制御部（ＣＰＵ）４０１は、ユーザからの操作入力に応じて、目的とする処理を行うためのプログラムをＲＯＭ４１９から読み出して実行し、各部を制御することによって、ユーザからの指示に応じた処理の制御を行う。デジタルビデオカメラは、情報記録媒体として、磁気ディスク、光ディスク、光磁気ディスク、半導体メモリ等の各種情報記録媒体を装着可能であり、これらの情報記録媒体にドライブ４３２を介して各種の情報を記録し、また、これらの情報記録媒体に記録された情報を再生する。
【０１２７】
なお、図９に示す情報処理装置の構成例は、装置の一例であり、情報処理装置は、図９に示す構成に限らず、上述した実施例において説明した処理を実行可能な構成であればよい。
【０１２８】
また、上述の実施例では、メカニカルな動作を必要とする記録メディア、すなわちメカニカル動作実行メディアの例として、ハードディスクを代表して説明したが、その他の記録メディア、例えばＤＶＤなどのディスク型メディアなど、ピックアップのシーク動作やディスクの回転などのメカニカルノイズの発生可能性のあるメディアについても、上述の実施例において説明したと同様の処理が適用可能であり、本発明の適用によって、記録データの品質向上が実現可能である。
【０１２９】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１３０】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１３１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１３２】
以上、説明したように、本発明の一実施例構成によれば、ハードディスクやＤＶＤのようにスピンドルやヘッドの制御、さらにサーボ制御などを行なう必要のある記録媒体に対するデータ記録を行う装置において、省電力モードに対応した待機モードからデータ記録や再生処理を実行する動作モードに移行させるためのモード変更制御を行う場合に、実行予定の処理がデータ記録であるか再生であるかを判別し、再生処理である場合には待機モードから動作モードへ一段階でのモード変更を実行し、記録処理である場合には、待機モードから中間モードへ移行した後、中間モードから動作モードへ移行する複数段階のモード変更処理を実行する。あるいは、記録データの音声レベルが予め定めた閾値より大である場合に、待機モードから動作モードへ一段階でのモード変更を実行し、音声レベルが予め定めた閾値より大でない場合に、待機モードから中間モードへ移行した後、中間モードから動作モードへ移行する複数段階のモード変更処理を実行する。このような構成とすることで、モード変更時の動作音のメディアに対する記録を防止してノイズ混在による記録データの品質低下を防ぐことが可能になる。
【図面の簡単な説明】
【０１３３】
【図１】本発明の一実施例の情報処理装置における設定モード態様について説明する図である。
【図２】一般的なモード変更シーケンスの例について説明するフローチャートを示す図である。
【図３】本発明の情報処理装置の一実施例としての撮像装置の構成例について説明する図である。
【図４】本発明の情報処理装置の一実施例におけるモード変更シーケンスについて説明するフローチャートを示す図である。
【図５】本発明の情報処理装置の一実施例としての撮像装置の構成例について説明する図である。
【図６】本発明の情報処理装置の一実施例におけるモード変更シーケンスについて説明するフローチャートを示す図である。
【図７】本発明の情報処理装置の一実施例におけるモード変更シーケンスについて説明するフローチャートを示す図である。
【図８】本発明の一実施例に係る情報処理装置のシステム構成について説明する図である。
【図９】本発明の情報処理装置の一実施例としてのデジタルビデオカメラの構成例について説明する図である。
【符号の説明】
【０１３４】
１０１  撮像部
１０２  音声入力部
１０３  信号処理部
１０４  制御部
１０５  操作部
１１１  記録メディア
１５１  音声レベル検出部
２０１  アプリケーション
２０２  ファイルシステム
２０３  デバイスドライバ
２０４  情報記録媒体
４０１  制御部（ＣＰＵ）
４０２  カメラ機能制御部
４１１  光学レンズ部
４１２  光電変換部
４１３  画像信号処理部
４１４  画像入出力部
４１５  液晶ディスプレイ
４１６  音声入出力部
４１７  音声処理部
４１８  内蔵メモリ（ＲＡＭ）
４１９  内蔵メモリ（ＲＯＭ）
４２０  操作入力部
４３１  通信部
４３２  ドライブ
４４１  電源
４５１  音声レベル検出部
【図１】
2009124529.tif 000003
【図２】
2009124529.tif 000004
【図３】
2009124529.tif 000005
【図４】
2009124529.tif 000006
【図５】
2009124529.tif 000007
【図６】
2009124529.tif 000008
【図７】
2009124529.tif 000009
【図８】
2009124529.tif 000010
【図９】
2009124529.tif 000011